(57)【特許請求の範囲】
【請求項１】
本体ケース内に設けた反射板と、この反射板の前方に設けた赤熱ヒータおよび非赤熱ヒータと、前記赤熱ヒータおよび前記非赤熱ヒータを通電制御して強弱切換を行う運転用スイッチを有し、この運転用スイッチは強弱運転を行うとき、強運転のときは赤熱ヒータおよび非赤熱ヒータを共に通電し、弱運転のときは赤熱ヒータのみを通電するようようにして、前記赤熱ヒータに必ず通電してなる電気ストーブ。
【請求項２】
赤熱ヒータを本体ケース中央に配し、非赤熱ヒータを前記赤熱ヒータの両側に対称に配し、各ヒータの後方に各ヒータを焦点とする断面放物線形状の反射板を設け、この反射板は前記赤熱ヒータの後方に設けた第１の赤熱ヒータ用反射板と、前記非赤熱ヒータの後方に設けた非赤熱ヒータ用反射板と、この非赤熱ヒータ用反射板の外側に延設した第２の赤熱ヒータ用反射板とよりなる請求項１記載の電気ストーブ。
【発明の詳細な説明】
【０００１】
【発明の属する技術分野】
本発明は、電気ストーブに関するものである。
【０００２】
【従来の技術】
一般に、赤熱ヒータまたは非赤熱ヒータを有した電気ストーブが利用されている。
【０００３】
図４および図５に示すように、本体ケース１０１内部に反射板１０２と２本の非赤熱または赤熱するヒータ１０３を備え、ヒータ１０３の前方にガード１０４を有している。各ヒータ１０３の後方にそれぞれ断面放物線形状の前記反射板１０２を配置し、前記本体ケース１０１天面に運転用スイッチ１０５および運転表示ランプ１０６を有している。そして運転用スイッチ１０５を操作することにより、強運転では２本のヒータ１０３に通電し、弱運転ではどちらか１本のヒータ１０３に通電するものである。また同時に運転表示ランプ１０６により、運転停止の表示ができるものであった。
【０００４】
【発明が解決しようとする課題】
このような従来の電気ストーブでは、本体ケースの中心より左右対称に２本のヒータを配しているため、弱運転時の発熱源は本体ケースの片側半分のみとなり発熱方向が変わるため、採暖者は弱運転切換と同時に本体ケースの方向も変更しなければならないという課題があり、弱運転でも本体ケースの中心から発熱することが要求されている。
【０００５】
本発明は、このような従来の課題を解決するものであり、弱運転においても本体ケースの中央から発熱できる電気ストーブを提供することを目的としている。
【０００６】
また、従来の電気ストーブで非赤熱ヒータを有しているものでは、通電の有無は本体ケース天面に設けた運転表示ランプで確認するのみであり、通電したまま放置される場合があるという課題があり、運転中は確実に通電状態の確認ができることが要求されている。
【０００７】
本発明は、このような従来の課題を解決するものであり、通電状態を簡単に目視確認できる電気ストーブを提供することを目的としている。
【０００８】
また、従来の電気ストーブでは、本体ケース中心の左右に２本のヒータを有しているため、ヒータ１本通電の弱運転時には暖房範囲が半分に減少するという課題があり、弱運転時も強運転時と同一の暖房範囲を有することが要求されている。
【０００９】
本発明は、このような従来の課題を解決するものであり、弱運転時と強運転時に暖房範囲の変わらない電気ストーブを提供することを目的としている。
【００１２】
【課題を解決するための手段】
本発明の電気ストーブは上記課題を解決するために、本体ケース内に設けた反射板と、この反射板の前方に設けた赤熱ヒータおよび非赤熱ヒータと、前記赤熱ヒータおよび前記非赤熱ヒータを通電制御して強弱切換を行う運転用スイッチを有し、この運転用スイッチは強弱運転で行うとき、強運転のときは赤熱ヒータおよび非赤熱ヒータを共に通電し、弱運転のときは赤熱ヒータのみを通電するようようにして、前記赤熱ヒータに必ず通電してなる構成としたものである。
【００１３】
そして本発明によれば、運転中は赤熱ヒータ通電により、通電状態を目視確認できる電気ストーブが得られる。
【００１４】
また他の手段は、赤熱ヒータを本体ケース中央に配し、非赤熱ヒータを前記赤熱ヒータの両側に対称に配し、各ヒータの後方に各ヒータを焦点とする断面放物線形状の反射板を設け、この反射板は前記赤熱ヒータの後方に設けた第１の赤熱ヒータ用反射板と、前記非赤熱ヒータの後方に設けた非赤熱ヒータ用反射板と、この非赤熱ヒータ用反射板の外側に延設した第２の赤熱ヒータ用反射板とよりなる構成としたものである。
【００１５】
そして本発明によれば、弱運転と強運転と変わらない暖房範囲を有する電気ストーブが得られる。
【００１７】
【発明の実施の形態】
本発明は、本体ケース内に設けた反射板と、この反射板の前方に設けた赤熱ヒータおよび非赤熱ヒータと、前記赤熱ヒータおよび前記非赤熱ヒータを通電制御して強弱切換を行う運転用スイッチを有し、この運転用スイッチは強弱運転を行うとき、強運転のときは赤熱ヒータおよび非赤熱ヒータを共に通電し、弱運転のときは赤熱ヒータのみを通電するようようにして、前記赤熱ヒータに必ず通電したものであり、強弱運転にかかわらず、運転中は必ず赤熱ヒータに通電することにより、運転状態が容易に確認できるという作用を有する。
【００１８】
また、赤熱ヒータを本体ケース中央に配し、非赤熱ヒータを前記赤熱ヒータの両側に対称に配し、各ヒータの後方に各ヒータを焦点とする断面放物線形状の反射板を設け、この反射板は前記赤熱ヒータの後方に設けた第１の赤熱ヒータ用反射板と、前記非赤熱ヒータの後方に設けた非赤熱ヒータ用反射板と、この非赤熱ヒータ用反射板の外側に延設した第２の赤熱ヒータ用反射板とよりなるとしたものであり、弱運転時と強運転時の両方とも赤熱ヒータの光が反射板のほぼ全面に反射し、暖房範囲が変わらないという作用を有する。
【００１９】
【実施例】
（実施例１）
図１に示すように、本体ケース１内部に反射板２を設け、反射板２の前方にＩ字型ヒータ３と逆Ｕ字型ヒータ４とを備え、Ｉ字型ヒータ３を本体ケース１の中央に配し、逆Ｕ字型ヒータ４をＩ字型ヒータ３を中心として両側に対称となるように配している。これらのヒータの前方にガード５と、本体ケース１の天面に運転用スイッチ６を有している。運転用スイッチ６操作により、強運転のときはＩ字型ヒータ３と逆Ｕ字型ヒータ４を共に通電し、弱運転のときはＩ字型ヒータのみを通電するようになっている。
【００２０】
上記構成において、Ｉ字型ヒータ３と逆Ｕ字型ヒータ４はお互いに重なり合う部分を少なくして、本体ケース１の中心に対して左右対称に配置されているため、強弱運転にかかわらず本体ケースの正面より見て左右均等に放熱することができることとなる。
【００２２】
（実施例２）
図２に示すように、本体ケース１内部に設けた反射板２の前方に、Ｉ字型の赤熱ヒータ７と逆Ｕ字型の非赤熱ヒータ８を設置している。強運転時は赤熱ヒータ７と非赤熱ヒータ８の両方通電と、弱運転時は赤熱ヒータ７のみの通電となるように運転用スイッチ６で切り替えできる構成となっている。
【００２３】
上記構成において、強／弱運転時とも必ず赤熱ヒータ７を通電して赤熱色を目視できるようにしているため、遠方からでも通電状態が容易に確認でき、ヒータの消し忘れによる不安全やエネルギー浪費を防止することができる。
【００２４】
なお本実施例では非赤熱ヒータ８の形状を逆Ｕ字型ヒータとしたが、非赤熱ヒータ８を２本のＩ字型ヒータとしてもよく、その作用効果に差異を生じない。
【００２５】
（実施例３）
図２および図３に示すように、本体ケース１内部に反射板２と赤熱ヒータ７と非赤熱ヒータ８とを備え、赤熱ヒータ７を本体ケース１の中央に配し、非赤熱ヒータ８を赤熱ヒータ７の両側に対称となるように配し、前記反射板２は各ヒータを中心とする断面放物線形状を有している。
【００２６】
図３において、反射板２は赤熱ヒータ７の後方部に設けた反射板２ａと、非赤熱ヒータ８の後方に設けた反射板２ｂと、この反射板２ｂに連続して外側に設けた赤熱ヒータ７の反射板２ｃとで形成されている。
【００２７】
上記構成において、赤熱ヒータ７の通電により反射板２ａ、２ｃの両方が赤熱反射し、強／弱運転時とも反射板のほぼ全面からの反射となり、暖房能力を変えたときにも暖房範囲が変わらず採暖できることとなる。
【００２９】
【発明の効果】
以上の実施例から明らかなように、本発明によれば、強／弱運転時とも必ず赤熱ヒータに通電することにより、通電時は反射板より赤熱反射することとなり、遠方からでも通電の確認が容易に行え、通電の消し忘れを防止して安全に使用できるという効果のある電気ストーブを提供できる。
【００３０】
また、赤熱ヒータ用反射板を中央部と、非赤熱ヒータ用反射板の両端側に設けることにより、強／弱運転時とも赤熱ヒータの放熱範囲に収まり反射板のほぼ全面からの反射となり、暖房能力を変えたときでも暖房範囲を一定に保つことができるという効果のある電気ストーブを提供できる。
【図面の簡単な説明】
【図１】本発明の実施例１の電気ストーブの正面図
【図２】同実施例２および実施例３の正面図
【図３】同実施例３の断面図
【図４】従来の電気ストーブの正面図
【図５】同断面図
【符号の説明】
１    本体ケース
２    反射板
２ａ  第１の赤熱ヒータ用反射板
２ｂ  非赤熱ヒータ用反射板
２ｃ  第２の赤熱ヒータ用反射板
３    Ｉ字型ヒータ
４    逆Ｕ字型ヒータ
７    赤熱ヒータ
８    非赤熱ヒータ
【図１】
0003750210.tif 000002
【図２】
0003750210.tif 000003
【図３】
0003750210.tif 000004
【図４】
0003750210.tif 000005
【図５】
0003750210.tif 000006